(57)【要約】【課題】テレビジョン受信機に内蔵されたモニターなどの映像表示装置において、周囲環境に配慮した視聴を行う。【解決手段】映像表示装置１０は、視聴場所の明るさを検出する明るさ計測部１３と、時計１４とを具備している。所定の時間帯において、視聴場所の明るさを検出し、視聴場所の明るさが所定の明るさ以下である場合に、字幕の表示／非表示を切り替えるとともに、音声レベルを制御する。これにより、ユーザビリティが向上するのは勿論のこと、周囲環境に配慮した視聴を行うことができる。【選択図】図１
2007336313.tif 000002
【特許請求の範囲】
【請求項１】
音声レベルを制御する音声レベル制御手段と字幕の表示／非表示を制御する字幕制御手段とを具備する映像表示装置であって、
視聴場所の明るさを検出する明るさ検出手段を具備し、
前記視聴場所の明るさに応じて字幕の表示／非表示が前記字幕制御手段によって切り替えられ、音声レベルが前記音声レベル制御手段によって制御されることを特徴とする映像表示装置。
【請求項２】
音声レベルを制御する音声レベル制御手段と字幕の表示／非表示を制御する字幕制御手段とを具備する映像表示装置であって、
時計機能を具備し、所定の時間帯において字幕の表示／非表示が前記字幕制御手段によって切り替えられ、音声レベルが前記音声レベル制御手段によって制御されることを特徴とする映像表示装置。
【請求項３】
前記字幕の表示／非表示の切り替えは、字幕表示がＯＮとされ、前記音声レベルの制御は、音声レベルが小またはＯＦＦとされることを特徴とする請求項１または２に記載の映像表示装置。
【請求項４】
前記音声レベルの制御は、音声レベルが徐々に下げられ、字幕の表示とともに音声レベルが小または消音とされることを特徴とする請求項１乃至３のいずれかに記載の映像表示装置。
【請求項５】
前記字幕制御手段による切り替えと前記音声レベル制御手段による制御とは、画面モードに連動して作動することを特徴とする請求項１乃至４のいずれかに記載の映像表示装置。
【請求項６】
音声レベルを制御する音声レベル制御手段と字幕の表示／非表示を制御する字幕制御手段とを具備する映像表示装置の映像表示方法であって、
視聴場所の明るさを検出し、
前記視聴場所の明るさが所定の明るさ以下である場合に、字幕の表示／非表示を切り替えるとともに、音声レベルを制御することを特徴とする映像表示方法。
【請求項７】
音声レベルを制御する音声レベル制御手段と字幕の表示／非表示を制御する字幕制御手段とを具備する映像表示装置の映像表示方法であって、
所定の時間帯において、字幕の表示／非表示を切り替えるとともに、音声レベルを制御することを特徴とする映像表示方法。
【請求項８】
前記制御は、字幕表示をＯＮ、音声レベルを小またはＯＦＦとすることを特徴とする請求項６または７に記載の映像表示方法。
【請求項９】
前記制御は、音声レベルを徐々に下げ、字幕の表示とともに音声レベルを小または消音とすることを特徴とする請求項６乃至８のいずれかに記載の映像表示方法。
【請求項１０】
前記映像表示装置の画面モードに連動させて字幕の表示／非表示を切り替え、音声レベルを制御することを特徴とする請求項６乃至９のいずれかに記載の映像表示方法。
【請求項１１】
請求項６乃至１０のいずれかに記載の映像表示方法を実行可能なプログラム。
【発明の詳細な説明】
【技術分野】
【０００１】
本発明は、テレビジョン受信機に内蔵されたモニターや、ＤＶＤ（Digital Versatile Disk）プレーヤ、ＶＴＲ（ビデオテープレコーダ）に接続されたディスプレイなどの映像表示装置であって、映像のみならず字幕をも表示する機能を備えた映像表示装置に関するものである。
【背景技術】
【０００２】
近年、この種の映像表示装置においては、音声情報を補完する目的で字幕の文字情報が提供されている。こうした字幕による文字情報の利用は、映像に対応する音声が聞き取りにくい場合などに、これを補完する手段として有効である。ところが、字幕情報の表示／非表示は、ユーザ（視聴者）がリモコンなどを用いて切り替える必要があり、非常に煩雑であった。
【０００３】
そこで、ユーザの使い勝手、すなわちユーザビリティを高めるため、再生音声の再生状態（音声レベル、再生速度、再生音量）と周囲の騒音レベルとの関係に着目し、字幕を表示するか否かを決定する手法（以下、公知技術１という。）が提案されていた（例えば、特許文献１参照）。
【特許文献１】特開２００４−３０４５３１号公報
【発明の開示】
【発明が解決しようとする課題】
【０００４】
しかし、この公知技術１では、視聴場所の明るさや視聴時の時間帯とは関係なく、周囲の騒音レベルにのみ基づいて字幕切替制御が行われるため、周囲環境に対する配慮が足りない結果となる場合がある。例えば、夜間の視聴時について考えると、周囲の騒音レベルが高くない限り、字幕が表示されず、音声レベルが低くならない。したがって、視聴場所の外側にも音声が漏れ出し、騒音公害につながる恐れがある。
【０００５】
本発明は、こうした課題を解決することが可能な、映像表示装置、映像表示方法、プログラムを提供することを目的とする。
【課題を解決するための手段】
【０００６】
本発明に係る映像表示装置は、音声レベルを制御する音声レベル制御手段と字幕の表示／非表示を制御する字幕制御手段とを具備する映像表示装置であって、視聴場所の明るさを検出する明るさ検出手段を具備し、前記視聴場所の明るさに応じて字幕の表示／非表示が前記字幕制御手段によって切り替えられ、音声レベルが前記音声レベル制御手段によって制御されることを特徴とする。
本発明に係る映像表示装置は、音声レベルを制御する音声レベル制御手段と字幕の表示／非表示を制御する字幕制御手段とを具備する映像表示装置であって、時計機能を具備し、所定の時間帯において字幕の表示／非表示が前記字幕制御手段によって切り替えられ、音声レベルが前記音声レベル制御手段によって制御されることを特徴とする。
本発明に係る映像表示装置では、前記字幕の表示／非表示の切り替えは字幕表示がＯＮとされ、前記音声レベルの制御は、音声レベルが小またはＯＦＦとされることを特徴とする。
本発明に係る映像表示装置では、前記音声レベルの制御は、音声レベルが徐々に下げられ、字幕の表示とともに音声レベルが小または消音とされることを特徴とする。
本発明に係る映像表示装置では、前記字幕制御手段による切り替えと前記音声レベル制御手段による制御とは、画面モードに連動して作動することを特徴とする。
本発明に係る映像表示方法は、音声レベルを制御する音声レベル制御手段と字幕の表示／非表示を制御する字幕制御手段とを具備する映像表示装置の映像表示方法であって、視聴場所の明るさを検出し、前記視聴場所の明るさが所定の明るさ以下である場合に、字幕の表示／非表示を切り替えるとともに、音声レベルを制御することを特徴とする。
本発明に係る映像表示方法は、音声レベルを制御する音声レベル制御手段と字幕の表示／非表示を制御する字幕制御手段とを具備する映像表示装置の映像表示方法であって、所定の時間帯において、字幕の表示／非表示を切り替えるとともに、音声レベルを制御することを特徴とする。
本発明に係る映像表示方法では、前記制御は、字幕表示をＯＮ、音声レベルを小またはＯＦＦとすることを特徴とする。
本発明に係る映像表示方法では、前記制御は、音声レベルを徐々に下げ、字幕の表示とともに音声レベルを小または消音とすることを特徴とする。
本発明に係る映像表示方法では、前記映像表示装置の画面モードに連動させて字幕の表示／非表示を切り替え、音声レベルを制御することを特徴とする。
本発明に係るプログラムは、上記映像表示方法を実行可能なことを特徴とする。
【発明の効果】
【０００７】
本発明によれば、視聴場所の明るさに応じて自動的に字幕切替制御および音声レベル制御が行われることから、ユーザビリティが向上するのは勿論のこと、周囲環境に配慮した視聴を行うことが可能となる。
【０００８】
また、本発明によれば、所定の時間帯において字幕切替制御および音声レベル制御が行われることから、ユーザビリティが向上するのは勿論のこと、周囲環境に配慮した視聴を行うことが可能となる。
【発明を実施するための最良の形態】
【０００９】
以下、本発明の実施形態を図面に基づいて説明する。
【００１０】
図１は本発明に係る映像表示装置の一実施形態が組み込まれたテレビジョン受信機を示す制御ブロック図、図２は字幕・音量制御プログラムの一例を示すフローチャート、図３は字幕・音量設定テーブルの一例を示す模式図、図４は字幕・音量設定テーブルの別の例を示す模式図である。
【００１１】
テレビジョン受信機１は、図１に示すように、アンテナ部２、チューナ復調部３、チャンネル選局部４、システム制御部５、入力処理部６、多重信号分離部７、映像表示装置１０を備えている。さらに、映像表示装置１０は、音声復号部８、音声出力制御部９、スピーカ２０、映像復号部１１、字幕解析部１２、明るさ計測部１３、時計１４、ＯＳＤ処理部１５、字幕出力制御部１６、音声・字幕出力設定部１７、メモリ１８、モニター１９から構成されている。
【００１２】
ここで、アンテナ部２は、地上波テレビジョン信号およびＢＳ、ＣＳデジタルテレビジョン信号を受信する機能を具備している。チューナ復調部３は、地上波テレビ信号またはＢＳ、ＣＳデジタルテレビ信号の電波を受信して復調する機能を具備している。チャンネル選局部４は、チューナ復調部３の受信チャンネルを制御する機能を具備している。システム制御部５は、システム全体を制御し、チャンネル選局部４に受信チャンネル指示する機能を具備している。入力処理部６は、リモコン（図示せず）およびコントロールパネル（図示せず）からの入力を処理し、入力内容に対応した信号をシステム制御部５に送信する機能を具備している。多重信号分離部７は、チューナ復調部３で受信されたデジタル信号から、符号化された音声信号、映像信号、字幕情報をそれぞれ分離する機能を具備している。音声復号部８は、多重信号分離部７によって分離された音声信号を元の音声信号に復号して音声出力制御部９に送信する機能を具備している。音声出力制御部９は、音声・字幕出力設定部１７からの指示に基づき、スピーカ２０に音声信号を送信する機能を具備している。
【００１３】
また、映像復号部１１は、多重信号分離部７によって分離された映像信号を元の映像信号に復号してＯＳＤ処理部１５に送信する機能を具備している。ＯＳＤ処理部１５は、モニター１９に映像信号を送信する機能を具備している。字幕解析部１２は、多重信号分離部７によって分離された字幕情報を解析して字幕出力制御部１６に送信する機能を具備している。字幕出力制御部１６は、音声・字幕出力設定部１７からの指示に基づき、ＯＳＤ処理部１５に字幕情報を送信する機能を具備している。
【００１４】
さらに、明るさ計測部１３は、モニター１９の表面近傍に設置されており、周囲（視聴場所）の明るさを計測し、「暗い」「やや暗い」「標準」「やや明るい」「明るい」の５段階で評価した後、この評価結果（「暗い」「やや暗い」「標準」「やや明るい」「明るい」のいずれか）を音声・字幕出力設定部１７に送信する機能を具備している。時計１４は、現在時刻を音声・字幕出力設定部１７に送信する機能を具備している。音声・字幕出力設定部１７には、メモリ１８が接続されており、メモリ１８には、図２に示す字幕・音量制御プログラムＰＲＧが読み出し自在に格納されている。
【００１５】
テレビジョン受信機１は以上のような構成を有するので、ユーザは、字幕切替および音声レベルを自動的に制御する際には、その旨をテレビジョン受信機１に指令する。これを受けて音声・字幕出力設定部１７は、図３に示す字幕・音量設定テーブルＴＢＬ１の作成に必要な事項の入力をユーザに促し、ユーザが入力した内容に基づいて字幕・音量設定テーブルＴＢＬ１を作成し、メモリ１８に格納する。
【００１６】
この字幕・音量設定テーブルＴＢＬ１では、例えば、図３に示すように、１日を０：００〜６：００、６：００〜２２：００、２２：００〜２４：００の３つの時間帯に分割し、時間帯ごとに、明るさに応じて音声レベル（音量）および字幕が設定されている。
【００１７】
すなわち、６：００〜２２：００の時間帯については、明るさが「１」の場合（つまり、暗い場合）は、音声レベルが「×」（つまり、消音）で、字幕が「○」（つまり、表示）と設定され、明るさが「２」の場合（つまり、やや暗い場合）は、音声レベルが「小」で、字幕が「○」（つまり、表示）と設定され、明るさが「３」の場合（つまり、標準の場合）は、音声レベルが「中」で、字幕が「×」（つまり、非表示）と設定され、明るさが「４」の場合（つまり、やや明るい場合）は、音声レベルが「○」（つまり、通常）で、字幕が「×」（つまり、非表示）と設定され、明るさが「５」の場合（つまり、明るい場合）は、音声レベルが「○」（つまり、通常）で、字幕が「×」（つまり、非表示）と設定されている。また、２２：００〜２４：００の時間帯については、明るさが「１」の場合（つまり、暗い場合）は、音声レベルが「×」（つまり、消音）で、字幕が「○」（つまり、表示）と設定され、明るさが「２」の場合（つまり、やや暗い場合）は、音声レベルが「×」（つまり、消音）で、字幕が「○」（つまり、表示）と設定され、明るさが「３」の場合（つまり、標準の場合）は、音声レベルが「小」で、字幕が「○」（つまり、表示）と設定され、明るさが「４」の場合（つまり、やや明るい場合）は、音声レベルが「小」で、字幕が「○」（つまり、表示）と設定され、明るさが「５」の場合（つまり、明るい場合）は、音声レベルが「中」で、字幕が「○」（つまり、表示）と設定されている。
【００１８】
こうして字幕・音量設定テーブルＴＢＬ１がメモリ１８に格納されたところで、音声・字幕出力設定部１７は、字幕・音量制御プログラムＰＲＧをメモリ１８から読み出し、以下に述べるとおり、この字幕・音量制御プログラムＰＲＧに基づく処理を順に実行する。
【００１９】
まず、字幕・音量制御プログラムＰＲＧのステップＳ１で、音声・字幕出力設定部１７は、明るさ計測部１３に対して明るさ評価を指令する。これを受けて明るさ計測部１３は、周囲の明るさを５段階で評価し、評価結果（つまり、「暗い」「やや暗い」「標準」「やや明るい」「明るい」のいずれか）を音声・字幕出力設定部１７に送信する。そして、音声・字幕出力設定部１７は、この評価結果を明るさ情報として受信する。
【００２０】
次に、字幕・音量制御プログラムＰＲＧのステップＳ２に移行し、音声・字幕出力設定部１７は、時計１４から送信された現在時刻を時刻情報として受信する。
【００２１】
次いで、字幕・音量制御プログラムＰＲＧのステップＳ３に移行し、音声・字幕出力設定部１７は、字幕・音量設定テーブルＴＢＬ１をメモリ１８から読み出し、この字幕・音量設定テーブルＴＢＬ１を参照して、明るさ情報および時刻情報に対応した音声レベルおよび字幕表示状態を決定する。
【００２２】
例えば、時刻情報が６：００〜２２：００に属する場合、明るさ情報が「暗い」だと、音声レベルを「消音」にするとともに、字幕表示をＯＮにし、明るさ情報が「やや暗い」だと、音声レベルを「小」にするとともに、字幕表示をＯＮにし、明るさ情報が「標準」だと、音声レベルを「中」にするとともに、字幕表示をＯＦＦにし、明るさ情報が「やや明るい」または「明るい」だと、音声レベルを「通常」にするとともに、字幕表示をＯＦＦにする。また、時刻情報が２２：００〜２４：００に属する場合、明るさ情報が「暗い」または「やや暗い」だと、音声レベルを「消音」にするとともに、字幕表示をＯＮにし、明るさ情報が「標準」または「やや明るい」だと、音声レベルを「小」にするとともに、字幕表示をＯＮにし、明るさ情報が「明るい」だと、音声レベルを「中」にするとともに、字幕表示をＯＮにする。
【００２３】
そして、音声・字幕出力設定部１７は、こうして決定された音声レベルおよび字幕表示状態をそれぞれ音声出力制御部９および字幕出力制御部１６に送信する。すると、音声出力制御部９は、音声レベルを瞬時に切り替え、この音声レベルでスピーカ２０から音声が出力されるように制御する。また、字幕出力制御部１６は、字幕表示状態を瞬時に切り替え、この字幕表示状態でモニター１９に字幕が表示されるように制御する。
【００２４】
ここで、字幕・音量制御プログラムＰＲＧに基づく字幕切替制御および音声レベル制御が終了する。なお、この字幕・音量制御プログラムＰＲＧについては、任意の時間間隔で繰り返して実行する方法や、明るさの計測値に変更があった場合にのみ実行する方法など、種々の実行方法が考えられる。
【００２５】
このように、字幕切替制御および音声レベル制御は、周囲の騒音レベルなどとは無関係に、所定の時間帯において視聴場所の明るさに応じて自動的に行われる。その結果、ユーザがリモコンなどを用いて字幕情報の表示／非表示を切り替える必要がなくなるので、ユーザビリティが向上する。しかも、周囲環境に配慮した視聴を行うことができる。例えば、周囲が暗い場合は、大勢の人が就寝している夜間であるとの判断に基づき、字幕が表示されるとともに、音声レベルが低くなるため、夜間の視聴時に騒音公害を引き起こす恐れはない。
【００２６】
なお、上述の実施形態においては、時間帯ごとに、明るさに応じて音声レベルおよび字幕表示状態を設定する場合について説明したが、図４に示すように、モニター１９の画面モードに連動させて音声レベルおよび字幕表示状態を設定することもできる。すなわち、この字幕・音量設定テーブルＴＢＬ２では、「normal」「cinema」「game」の３つの画面モードに連動して、所定の時間帯において音声レベルおよび字幕表示状態が設定されているとともに、明るさに応じて音声レベルおよび字幕表示状態が設定されている。
【００２７】
例えば、画面モードが「cinema」であるときは、時間帯にかかわらず字幕が表示され、音声レベルが低くならない。これは、映画を視聴するときは部屋を暗くして見る場合もあるため、cinemaモードにおいては、視聴場所が暗くても音声レベルを下げないようにするためである。ただし、周囲環境への配慮を考慮して、０：００〜６：００の時間帯では音声レベルを小とし、２２：００〜２４：００の時間帯では音声レベルを消音とする。
【００２８】
また、画面モードが「game」であるときは、時間帯にかかわらず字幕が非表示とされ、音声レベルは、視聴場所が暗くなるにつれて音量が抑えられるよう、明るさに応じて適宜調整される。ただし、周囲環境への配慮を考慮して、０：００〜６：００および２２：００〜２４：００の時間帯では音声レベルを小とする。
【００２９】
なお、上述の実施形態においては、音声レベルを瞬時に切り替える場合について説明した。しかし、音声レベルを徐々に下げていき、字幕の表示とともに音声レベルを中、小または消音まで下げ切るようにしてもよい。逆に、音声レベルを徐々に上げていき、字幕の非表示とともに音声レベルを小、中または○まで上げ切るようにしてもよい。これらの場合、音声レベルが瞬時に下がったり上がったりしてユーザが戸惑う不具合を回避することができる。
【００３０】
なお、上述の実施形態においては、字幕・音量制御プログラムＰＲＧのステップＳ１の処理を実行した後、ステップＳ２の処理を実行する場合について説明したが、これらのステップＳ１、Ｓ２の前後は問わない。すなわち、ステップＳ１の処理の実行前にステップＳ２の処理を実行してもよく、また、ステップＳ１の処理とステップＳ２の処理とを同時に実行しても構わない。
【００３１】
なお、上述の実施形態においては、モニター１９の表面近傍に設置された明るさ計測部１３を用いて周囲の明るさを計測する場合について説明したが、明るさ計測部１３の設置部位はモニター１９の表面近傍に限るわけではない。或いはまた、照明機器（図示せず）に明るさ計測部１３を接続して明るさ情報を得るようにしてもよい。
【００３２】
なお、上述の実施形態においては、１日を３つの時間帯に分割した字幕・音量設定テーブルＴＢＬ１について説明したが、１日を２つまたは４つ以上の時間帯に分割しても構わない。或いはまた、時間帯を分割せずに明るさのみに基づいて字幕切替制御および音声レベル制御を行うこともできる。
【００３３】
なお、上述の実施形態においては、モニター１９を備えたテレビジョン受信機１について説明したが、モニター１９以外の映像出力装置（例えば、スクリーンを用いた映像投影装置）を備えたテレビジョン受信機１に本発明を同様に適用することもできる。また、ＤＶＤプレーヤ、ＶＴＲに接続されたディスプレイなどに本発明を同様に適用することも可能である。
【図面の簡単な説明】
【００３４】
【図１】本発明に係る映像表示装置の一実施形態が組み込まれたテレビジョン受信機を示す制御ブロック図である。
【図２】字幕・音量制御プログラムの一例を示すフローチャートである。
【図３】字幕・音量設定テーブルの一例を示す模式図である。
【図４】字幕・音量設定テーブルの別の例を示す模式図である。
【符号の説明】
【００３５】
１……テレビジョン受信機
９……音声出力制御部（音声レベル制御手段）
１０……映像表示装置
１３……明るさ計測部（明るさ検出手段）
１６……字幕出力制御部（字幕制御手段）
ＰＲＧ……字幕・音量制御プログラム（プログラム）
【図１】
2007336313.tif 000003
【図２】
2007336313.tif 000004
【図３】
2007336313.tif 000005
【図４】
2007336313.tif 000006